(57)【要約】【課題】献立を考え調理を行う作り手と、作られた料理を食べる食べ手との間に生じるミスマッチを解消する献立作成支援装置、システム、方法及びプログラムを提供する。【解決手段】献立作成支援システム１の献立作成支援装置１００は、その機能として、読取部１４０の動作制御を行う読取制御部１６１と、献立作成の対象であるユーザの選定を受け付けるユーザ選定受付部１６２と、選定したユーザに対する献立を構成する要素である料理のレシピデータの選定を受け付けるレシピ選定受付部１６３と、選定した献立を構成する料理のレシピデータを表示装置２００へ表示させるレシピ表示部１６４と、を備える。【選択図】図１
2020107316.tif 000002
【特許請求の範囲】
【請求項１】
選定されたユーザに対する、１または複数の料理からなる献立の作成を支援する献立作成支援装置であって、
前記ユーザの選定を受け付けるユーザ選定受付部と、
前記ユーザに対する、前記献立を構成する要素の選定を受け付ける要素選定受付部と、
選定された前記要素を表示させる献立要素表示部と、を備える献立作成支援装置。
【請求項２】
前記ユーザの情報が記録されている外部媒体と、前記要素の情報が記録されている外部媒体と、を読み取る外部媒体読取部を備え、
前記ユーザ選定受付部は、前記ユーザの情報が記録されている前記外部媒体が読み取られると、前記ユーザの選定を受け付け、
前記要素選定受付部は、前記要素の情報が記録されている前記外部媒体が読み取られると、前記要素の選定を受け付ける、請求項１に記載の献立作成支援装置。
【請求項３】
前記ユーザの情報が記録されている前記外部媒体は、前記ユーザの属性情報が記憶されている記憶媒体である、請求項２に記載の献立作成支援装置。
【請求項４】
前記記憶媒体から読み取られた前記ユーザの属性情報に基づき、前記ユーザが摂取すべき栄養価の値に対する、選定された前記要素による充足度を算出して表示させる充足度表示部を備える、請求項３に記載の献立作成支援装置。
【請求項５】
前記記憶媒体から読み取られた前記ユーザの属性情報から、前記ユーザが摂取すべき栄養価の値を算出する栄養価算出部を備える、請求項３または請求項４に記載の献立作成支援装置。
【請求項６】
前記ユーザの情報が記憶されている前記記憶媒体は非接触記憶媒体であり、前記ユーザを模した人形に取り付けられている、請求項５に記載の献立作成支援装置。
【請求項７】
前記ユーザの情報が記録されている前記外部媒体は、前記ユーザの識別情報が埋め込まれているユーザコード情報である、請求項２に記載の献立作成支援装置。
【請求項８】
前記ユーザの属性情報を記憶するユーザ情報記憶部を備え、
前記ユーザ情報記憶部から読み取られた前記ユーザの属性情報に基づき、前記ユーザが摂取すべき栄養価の値に対する、選定された前記要素による充足度を算出して表示させる充足度表示部を備える、請求項７に記載の献立作成支援装置。
【請求項９】
前記ユーザ情報記憶部から読み取られた前記ユーザの属性情報から、前記ユーザが摂取すべき栄養価の値を算出する栄養価算出部を備える、請求項８に記載の献立作成支援装置。
【請求項１０】
前記要素の情報が記録されている前記外部媒体は、前記要素の情報が記憶されている記憶媒体である、請求項２に記載の献立作成支援装置。
【請求項１１】
前記要素は、前記献立を構成する前記料理であり、
前記要素の情報が記憶されている記憶媒体には、前記献立を構成する前記料理のレシピ情報が記憶され、
前記献立要素表示部は、前記記憶媒体から読み取られた前記料理のレシピ情報から、前記献立を構成する前記料理の材料を表示する、請求項１０に記載の献立作成支援装置。
【請求項１２】
前記要素の情報が記憶されている前記記憶媒体には、前記献立を構成する前記料理のレシピ情報と共に、前記料理に含まれる栄養価の値が記憶される、請求項１０または請求項１１に記載の献立作成支援装置。
【請求項１３】
前記要素は、前記献立を構成する前記料理の材料であり、
前記要素の情報が記憶されている記憶媒体には、前記献立を構成する前記料理の材料情報が記憶されている、請求項１０に記載の献立作成支援装置。
【請求項１４】
前記料理のレシピ情報を記憶するレシピ情報記憶部と、
選定された前記要素を満たす、前記献立を構成する１または複数の前記料理の前記レシピ情報を前記レシピ情報記憶部から抽出してレコメンドするレシピ情報レコメンド部と、を備える、請求項１３に記載の献立作成支援装置。
【請求項１５】
前記要素の情報が記憶されている記憶媒体には、前記献立を構成する前記料理の材料情報と共に、前記料理の材料に含まれる栄養価の値が記憶される、請求項１３または請求項１４に記載の献立作成支援装置。
【請求項１６】
前記要素の情報が記憶されている記憶媒体は非接触記憶媒体であり、前記料理の材料に取り付けられている、請求項１５に記載の献立作成支援装置。
【請求項１７】
前記要素の情報が記録されている前記外部媒体は、前記要素の識別情報が埋め込まれている要素コード情報である、請求項２に記載の献立作成支援装置。
【請求項１８】
前記要素は、前記献立を構成する前記料理であり、
前記献立を構成する前記料理のレシピ情報を記憶するレシピ情報記憶部を備える、請求項１７に記載の献立作成支援装置。
【請求項１９】
前記要素は、前記献立を構成する前記料理の材料であり、
前記献立を構成する前記料理の材料情報を記憶する材料情報記憶部と、
前記献立を構成する前記料理のレシピ情報を記憶するレシピ情報記憶部と、を備え、
選定された前記要素から前記料理の材料情報を抽出し、選定された前記要素を満たす、前記献立を構成する１または複数の前記料理の前記レシピ情報を前記レシピ情報記憶部から抽出してレコメンドするレシピ情報レコメンド部と、を備える、請求項１７に記載の献立作成支援装置。
【請求項２０】
前記材料情報記憶部には、前記献立を構成する前記料理の材料情報と共に、前記料理の材料に含まれる栄養価の値が記憶される、請求項１９に記載の献立作成支援装置。
【請求項２１】
選定されたユーザに対する、１または複数の料理からなる献立の作成を支援する献立作成支援装置と、前記献立作成支援装置の指示により画面表示を行う表示装置と、を備える献立作成支援システムであって、
前記献立作成支援装置は、
前記ユーザの選定を受け付けるユーザ選定受付部と、
前記ユーザに対する、前記献立を構成する要素の選定を受け付ける要素選定受付部と、
選定された前記要素を前記表示装置に表示させる献立要素表示部と、を備える、献立作成支援システム。
【請求項２２】
選定されたユーザに対する、１または複数の料理からなる献立の作成を支援する献立作成支援装置と、前記献立を構成する１または複数の前記料理の前記レシピ情報を前記献立作成支援装置へ送信するサーバと、を備える献立作成支援システムであって、
前記献立作成支援装置は、
前記ユーザの選定を受け付けるユーザ選定受付部と、
前記ユーザに対する、前記献立を構成する要素の選定を受け付ける要素選定受付部と、
選定された前記要素を表示させる献立要素表示部と、を備え、
前記サーバは、
選定された前記要素を満たす、前記献立を構成する１または複数の前記料理のレシピ情報をレコメンドするレシピ情報レコメンド部を備える、献立作成支援システム。
【請求項２３】
選定されたユーザに対する、１または複数の料理からなる献立の作成を支援する献立作成支援方法であって、
ユーザ選定受付部が行う、前記ユーザの選定を受け付けるユーザ選定受付ステップと、
要素選定受付部が行う、前記ユーザに対する、前記献立を構成する要素の選定を受け付ける要素選定受付ステップと、
献立要素表示部が行う、選定された前記要素を表示させる献立要素表示ステップと、を備える献立作成支援方法。
【請求項２４】
選定されたユーザに対する、１または複数の料理からなる献立の作成を支援する献立作成支援プログラムであって、
前記ユーザの選定を受け付けるユーザ選定受付ステップと、
前記ユーザに対する、前記献立を構成する要素の選定を受け付ける要素選定受付ステップと、
選定された前記要素を表示させる献立要素表示ステップと、を電子計算機に実行させるための、献立作成支援プログラム。
【発明の詳細な説明】
【技術分野】
【０００１】
本開示は、１または複数の料理からなる献立の作成を支援するする献立作成支援装置、献立作成支援システム、献立作成支援方法及び献立作成支援プログラムに関する。
【背景技術】
【０００２】
近年、インターネット、テレビ、雑誌などを介して様々なレシピが公開されている。公開されたレシピには一連の調理手順が記載されていて、一般のユーザは、これらのレシピを利用することが出来る。例えば、特許文献１には、通信網を介して、調理レシピデータを複数格納するホスト装置から、ユーザの要求する検索結果の調理レシピデータを供給する方法が開示されている。
【０００３】
また、家庭において食事を作る者にとって、毎日の食事の献立を検討するのは大変な作業である。そのため、例えば特許文献２には、ユーザに質問を投げかけ、ユーザとの対話により探索することを支援する対話システムであって、その適用例として複数の料理レシピを探索して提供することが開示されている。
【先行技術文献】
【特許文献】
【０００４】
【特許文献１】特開２００２−０６３１７８号公報
【特許文献２】特開２０１８−０９２５８５号公報
【発明の概要】
【発明が解決しようとする課題】
【０００５】
ところで、ユーザが自身の要求により調理レシピデータを検索し、その検索結果に基づいて複数の料理からなる献立を調理したとしても、その料理を喫食する者、例えばそのユーザの家族は、その日の気分として、調理された料理を食べたくない場合もある。このように、献立を考え調理を行う作り手と、作られた料理を食べる食べ手との間にミスマッチが生じることがあった。
【０００６】
こうした状況において、一方の意見を尊重しすぎてしまうと、お互いに不満が残ることになり、例えば家庭で料理を食べないという選択をすることも考えられる。また、例えば献立が一定のジャンルの料理や、一定の食材ばかり使用する料理ばかりになる等、偏った献立になる可能性もある。そのため、このようなミスマッチを解消しつつ、お互いに相手に対する思いやりの部分を出せるようなシステムが望まれていた。
【０００７】
そこで、本開示では、このような事情に鑑み、コミュニケーションツールとして利用しながら献立の作成を支援したり、ゲーミフィケーションの要素を取り入れて献立の作成を支援したりすることで、献立を考え調理を行う作り手と、作られた料理を食べる食べ手との間に生じるミスマッチを解消する献立作成支援装置、献立作成支援システム、献立作成支援方法及び献立作成支援プログラムについて説明する。
【課題を解決するための手段】
【０００８】
本開示の一態様における献立作成支援装置は、選定されたユーザに対する、１または複数の料理からなる献立の作成を支援する献立作成支援装置であって、ユーザの選定を受け付けるユーザ選定受付部と、ユーザに対する、献立を構成する要素の選定を受け付ける要素選定受付部と、選定された要素を表示させる献立要素表示部と、を備える。
【０００９】
本開示の一態様における献立作成支援システムは、選定されたユーザに対する、１または複数の料理からなる献立の作成を支援する献立作成支援装置と、献立作成支援装置の指示により画面表示を行う表示装置と、を備える献立作成支援システムであって、献立作成支援装置は、ユーザの選定を受け付けるユーザ選定受付部と、ユーザに対する、献立を構成する要素の選定を受け付ける要素選定受付部と、選定された要素を表示装置に表示させる献立要素表示部と、を備える。
【００１０】
本開示の一態様における献立作成支援方法は、選定されたユーザに対する、１または複数の料理からなる献立の作成を支援する献立作成支援方法であって、ユーザ選定受付部が行う、ユーザの選定を受け付けるユーザ選定受付ステップと、要素選定受付部が行う、ユーザに対する、献立を構成する要素の選定を受け付ける要素選定受付ステップと、献立要素表示部が行う、選定された要素を表示させる献立要素表示ステップと、を備える。
【００１１】
また、本開示の一態様における献立作成支援プログラムは、選定されたユーザに対する、１または複数の料理からなる献立の作成を支援する献立作成支援プログラムであって、ユーザの選定を受け付けるユーザ選定受付ステップと、ユーザに対する、献立を構成する要素の選定を受け付ける要素選定受付ステップと、選定された要素を表示させる献立要素表示ステップと、を電子計算機に実行させる。
【発明の効果】
【００１２】
本開示によれば、ユーザの選定を受け付け、そのユーザに対する献立を構成する要素を受け付け、表示させる。例えば、選定したユーザに対する献立を考えると、その献立を構成する要素を入力することにより献立を表示させることが出来るため、献立を考えるためのコミュニケーションツールとして利用することが出来る。また、献立を構成する要素を表示させることにより、より多くの要素を取り入れる等、ゲーミフィケーションのような特徴を取り入れることが出来る。これにより、献立を考え調理を行う作り手と、作られた料理を食べる食べ手との間に生じるミスマッチを解消することが出来る。
【図面の簡単な説明】
【００１３】
【図１】本開示の一実施形態に係る献立作成支援システムを示す機能ブロック構成図である。
【図２】図１の献立作成支援装置１００の外観を示す斜視図（ａ）、図２（ａ）の人形１０を示す拡大正面図（ｂ）、及び図２（ａ）のレシピカード２０を示す拡大平面図（ｃ）である。
【図３】図１の献立作成支援装置１００の動作を示すフローチャートである。
【図４】図１の表示装置２００に表示される、レシピ・材料情報の表示例を示す模式図である。
【図５】本開示の一実施形態に係る献立作成支援システムを示す機能ブロック構成図である。
【図６】図５の献立作成支援装置１００Ａの動作を示すフローチャートである。
【図７】図５の表示装置２００に表示される、レシピ・栄養価情報の表示例を示す模式図である。
【図８】本開示の一実施形態に係る献立作成支援システムを示す機能ブロック構成図である。
【図９】図８の献立作成支援装置１００Ｂの外観を示す斜視図（ａ）、人形１０を示す底面図（ｂ）、及びレシピカード２０を示す底面図（ｃ）である。
【図１０】図８の献立作成支援装置１００Ｂの動作を示すフローチャートである。
【図１１】本開示の一実施形態に係る献立作成支援システムを示す機能ブロック構成図である。
【図１２】図１１の献立作成支援装置１００Ｃの外観を示す斜視図（ａ）、及び商品３０を示す拡大平面図（ｂ）である。
【図１３】図１１の献立作成支援装置１００Ｃの動作を示すフローチャートである。
【図１４】本開示の一実施形態に係る献立作成支援システムを示す機能ブロック構成図である。
【図１５】図１４の献立作成支援装置１００Ｄの外観を示す斜視図（ａ）、及び商品３０を示す拡大底面図（ｂ）である。
【図１６】図１１の献立作成支援装置１００Ｄの動作を示すフローチャートである。
【図１７】本開示の一実施形態に係る献立作成支援システムを示す機能ブロック構成図である。
【図１８】本開示の一実施形態に係るコンピュータ７００を示す機能ブロック構成図である。
【発明を実施するための形態】
【００１４】
以下、本開示の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００１５】
（実施形態１）
＜構成＞
図１は、本開示の実施形態１に係る献立作成支援システム１を示す機能ブロック構成図である。図２は、図１の献立作成支援装置１００の外観を示す斜視図（ａ）、図２（ａ）の人形１０を示す拡大正面図（ｂ）、及び図２（ａ）のレシピカード２０を示す拡大平面図（ｃ）である。この献立作成支援システム１は、例えば、献立作成対象のユーザを選定し、調理レシピデータを選定することにより、献立の作成を支援するシステムである。ユーザの選定を行う際に、そのユーザを模した人形を使用し、レシピデータを選定する際に、その料理が記載されているレシピカードを使用することで、コミュニケーションツールとして利用し、ゲーミフィケーションの特徴を取り入れることを可能にしたものである。
【００１６】
献立作成支援システム１は、献立作成支援装置１００と、表示装置２００と、ユーザ情報記憶媒体（外部媒体）３００と、レシピ情報記憶媒体（外部媒体）４００とを有している。献立作成支援装置１００と表示装置２００とは、例えばＶＧＡ（Video Graphics Array）やＨＤＭＩ（High-Definition Multimedia Interface）（登録商標）等の通信規格に準拠したケーブルにより接続されている。
【００１７】
献立作成支援装置１００は、ユーザから、献立作成対象であるユーザの選定を受け付け、調理レシピデータの選定を受け付けて献立を表示させる装置である。この献立作成支援装置１００は、図２（ａ）に示すように、例えば、献立作成対象であるユーザを模した人形１０が載置されることにより、ユーザの選定を受け付け、調理レシピデータ及びその料理が記載されているレシピカード２０が載置されることにより、レシピデータの選定を受け付けるような装置であり、人形１０及びレシピカード２０を載置可能なように平板状に形成された筐体により構成されている。
【００１８】
表示装置２００は、献立作成支援装置１００からの指示により情報の画面表示を行うユーザインタフェースのための装置であり、液晶ディスプレイ等から構成される。
【００１９】
ユーザ情報記憶媒体３００は、献立作成支援装置１００で読み取り可能な記憶媒体であり、例えば、ユーザの氏名や呼び名（お父さん、○○ちゃん等）、年齢、性別等の属性情報がユーザ毎に記憶（記録）されている。このユーザ情報記憶媒体３００は、例えば、献立作成支援装置１００に載置されることで読み取り可能な非接触記憶媒体、例えばＲＦＩＤ（Radio Frequency Identification）タグ等により構成され、図２（ｂ）に示すように、人形１０に埋め込まれている。この人形１０は、例えば家族の人数分設けられてその家族であるユーザの外見を模して形成され、そのユーザの属性情報が記憶されているユーザ情報記憶媒体３００が埋め込まれる。
【００２０】
レシピ情報記憶媒体４００は、献立作成支援装置１００で読み取り可能な記憶媒体であり、例えば、料理名や調理レシピデータが記憶（記録）されている。このレシピ情報記憶媒体４００は、例えば、献立作成支援装置１００に載置されることで読み取り可能な非接触記憶媒体、例えばＲＦＩＤタグやＩＣチップが埋め込まれたＩＣカード等により構成され、図２（ｃ）に示すように、レシピカード２０に埋め込まれている。このレシピカード２０は、例えば献立を構成する料理のレシピ毎に作成されて料理の名称や完成した料理の写真が印刷され、その料理のレシピデータが記憶されているレシピ情報記憶媒体４００が埋め込まれる。
【００２１】
献立作成支援装置１００は、Ｉ／Ｆ部１１０と、表示部１２０と、操作部１３０と、読取部（外部媒体読取部）１４０と、記憶部１５０と、制御部１６０とを備える。
【００２２】
Ｉ／Ｆ部１１０は、表示装置２００に対して情報表示の指示を行わせるためのインタフェースであり、例えばＶＧＡやＨＤＭＩ等の通信規約により通信が行われる。
【００２３】
表示部１２０は、献立作成支援装置１００の状態表示、例えば起動中であることを示す「Power on」や、エラー状態であることを示す「Error XXX」等の表示を行うユーザインタフェースであり、単色の液晶ディスプレイ等から構成され、図２（ａ）に示すように、例えば献立作成支援装置１００の正面側（ユーザが操作を行う方向）に配置されている。
【００２４】
操作部１３０は、献立作成支援装置１００の動作制御、例えば電源を入れて起動させるための起動ボタン等から構成され、図２（ａ）に示すように、例えば献立作成支援装置１００の正面側に配置されている。
【００２５】
読取部１４０は、人形１０に埋め込まれたユーザ情報記憶媒体３００、及びレシピカード２０に埋め込まれたレシピ情報記憶媒体４００から、記憶されている情報を読み取る装置であり、ＲＦＩＤカードリーダライタ等により構成されている。この読取部１４０は、図２（ａ）に示すように、ユーザ情報記憶媒体３００を読み取るユーザ情報読取部１４１と、レシピ情報記憶媒体４００を読み取るレシピ情報読取部１４２とからなり、献立作成支援装置１００の上面側に配置されている。
【００２６】
ユーザ情報読取部１４１は、献立作成支援装置１００上面における人形１０が載置される箇所、例えば図２（ａ）に示すように献立作成支援装置１００上面における正面側に配置され、人形１０の底面の形状に合わせて略円形に設けられている。レシピ情報読取部１４２は、献立作成支援装置１００上面におけるレシピカード２０が載置される箇所、例えば図２（ａ）に示すように献立作成支援装置１００上面における背面側に配置され、レシピカード２０の底面の形状に合わせて略方形に設けられている。
【００２７】
記憶部１５０は、各種制御処理や制御部１６０内の各機能を実行するためのプログラム、入力データ等を記憶するものであり、ＲＡＭ（Random Access Memory）、ＲＯＭ（Read Only Memory）等から構成される。また、記憶部１５０は、後述する各処理にて生成されたデータを一時的に記憶する。
【００２８】
制御部１６０は、記憶部１５０に記憶されているプログラムを実行することにより、献立作成支援装置１００の全体の動作を制御するものであり、ＣＰＵ（Central Processing Unit）やＧＰＵ（Graphics Processing Unit）等から構成される。制御部１３０の機能として、読取制御部１６１と、ユーザ選定受付部１６２と、レシピ選定受付部（要素選定受付部）１６３と、レシピ表示部（献立要素表示部）１６４とを備えている。この読取制御部１６１、ユーザ選定受付部１６２、レシピ選定受付部１６３、及びレシピ表示部１６４は、記憶部１５０に記憶されているプログラムにより起動されて献立作成支援装置１００にて実行される。
【００２９】
読取制御部１６１は、読取部１４０の動作制御を行う。具体的には、例えばユーザ情報記憶媒体３００及びレシピ情報記憶媒体４００が、電源が不要であるパッシブ型のＲＦＩＤタグにより構成されている場合、読取部１４０が所定の間隔でユーザ情報記憶媒体３００及びレシピ情報記憶媒体４００に対する電波信号を送信し、反射波を検知した場合にその反射波に乗せられている情報を読み取るので、その動作制御を行う。
【００３０】
ユーザ選定受付部１６２は、献立作成の対象であるユーザの選定を受け付ける。献立作成支援装置１００の上面における、ユーザ情報読取部１４１が配置されている箇所に人形１０が載置されると、その人形１０の形状に対応するユーザの属性情報が、ユーザ情報記憶媒体３００からユーザ情報読取部１４１により読み取られるので、その情報を受け付ける。なお、本実施形態では１人のユーザに対する献立作成を例としているが、複数の人形１０が同時に載置され、複数のユーザに対する献立作成が行われても良い。
【００３１】
レシピ選定受付部１６３は、ユーザ選定受付部１６２にて選定したユーザに対する献立を構成する要素である、料理のレシピデータの選定を受け付ける。献立作成支援装置１００の上面における、レシピ情報読取部１４２が配置されている箇所にレシピカード２０が載置されると、そのレシピカード２０に対応する料理のレシピデータが、レシピ情報記憶媒体４００からレシピ情報読取部１４２により読み取られるので、その情報を受け付ける。なお、本実施形態では複数のレシピデータからなる献立作成を例としているが、レシピカード２０が１枚だけで献立作成が行われても良い。
【００３２】
また、レシピ選定受付部１６３は、受け付けた料理のレシピデータから、この料理に使用される材料の情報を抽出する。この材料の情報の抽出は、例えばレシピデータ内の文言から材料に関する情報を抽出しても良く、また、レシピ情報読取部１４２にレシピデータに加えて材料の情報が分量と共に記憶され、その材料の情報を受け付けても良い。
【００３３】
レシピ表示部１６４は、レシピ選定受付部１６３にて選定した献立を構成する料理のレシピデータを表示装置２００へ表示させる。このとき、ユーザ選定受付部１６２にて選定したユーザに対する献立であることが分かるように表示指示を行う。また、レシピ選定受付部１６３にて抽出された、この料理に使用される材料の表示指示も行う。
【００３４】
なお、図示は省略するが、ユーザ情報記憶媒体３００に対してユーザの情報を登録して記憶させる機能を備えていても良い。
【００３５】
＜処理の流れ＞
図３を参照しながら、献立作成支援システム１の献立作成支援装置１００が実行する、献立作成支援方法の処理の流れについて、一例を説明する。図３は、図１の献立作成支援装置１００の動作を示すフローチャートである。
【００３６】
ステップＳ１０１の処理として、例えばユーザが、献立作成支援装置１００のユーザ情報読取部１４１に特定の人形１０を載置すると、読取制御部１６１の制御により、ユーザ情報読取部１４１で人形１０に埋め込まれているユーザ情報記憶媒体３００が読み込まれる。ユーザ選定受付部１６２では、ユーザ情報読取部１４１によって読み取られたユーザの属性情報が受け付けられる。ここでは、１つの人形１０が載置される。
【００３７】
ステップＳ１０２の処理として、例えばユーザが、献立作成支援装置１００のレシピ情報読取部１４２に特定のレシピカード２０を載置すると、読取制御部１６１の制御により、レシピ情報読取部１４２でレシピカード２０に埋め込まれているレシピ情報記憶媒体４００が読み込まれる。レシピ選定受付部１６３では、レシピ情報読取部１４２によって読み取られた料理のレシピデータが受け付けられる。ここでは、献立を構成する複数のレシピカード２０が載置される。
【００３８】
ステップＳ１０３の処理として、レシピ選定受付部１６３では、受け付けた料理のレシピデータから、この料理に使用される材料の情報が抽出される。例えば、レシピデータ内の文言から材料に関する情報を抽出したり、レシピ情報読取部１４２に記憶されている材料の情報を受け付けたりすることにより行われる。
【００３９】
ステップＳ１０４の処理として、レシピ表示部１６４では、ステップＳ１０２で選定された献立を構成する料理のレシピデータを、表示装置２００へ表示するよう指示される。このとき、ステップＳ１０１で選定されたユーザに対する献立であることが分かるように表示指示が行われる。また、ステップＳ１０３で抽出された料理に使用される材料の表示指示も行われる。
【００４０】
図４は、図１の表示装置２００に表示される、レシピ・材料情報の表示例を示す模式図である。図４に示すレシピ・材料情報の表示は、レシピ表示部１６４による料理のレシピデータの表示例である。この表示例では、ユーザ選定受付部１６２によって受け付けられたユーザを表示するユーザ表示Ｔ１と、レシピ選定受付部１６３によって受け付けられたレシピデータのタイトルを表示するタイトル表示Ｔ２及びレシピを表示するレシピ表示Ｔ３とが設けられ、レシピの完成写真Ｐ１が表示されている。タイトル表示Ｔ２及びレシピ表示Ｔ３は、レシピ選定受付部１６３において載置された複数のレシピカード２０についてのタイトル及びレシピデータが表示される。
【００４１】
また、図４に示すレシピ・材料情報の表示例には、レシピ選定受付部１６３によって抽出されたレシピデータの材料の情報である材料表示Ｅ１が表示される。この材料表示Ｅ１は、レシピ選定受付部１６３によって抽出された材料の情報及び分量から、例えば１日に摂取すべき推奨量に対する充足度が算出されて表示される。このときの材料表示Ｅ１の表示内容は、レシピ選定受付部１６３において載置された複数のレシピカード２０についてのものである。
【００４２】
このように表示させることにより、献立作成支援装置１００に載置したレシピカードによって作成した献立で使用される材料が表示されるので、材料の品目や充足度が一目で把握できるので、献立作成において、例えば人形１０及びレシピカード２０を他のものに代えたりしながら、家族でコミュニケーションを取りつつ献立作成をすることが出来る。
【００４３】
＜効果＞
以上のように、本実施形態に係る献立作成支援装置、献立作成支援システム、及び献立作成支援方法は、ユーザ選定受付部により、献立作成の対象であるユーザの選定が受け付けられ、レシピ選定受付部により、選定したユーザに対する献立を構成する料理のレシピデータの選定が受け付けられる。これらのユーザの情報及びレシピデータが、レシピ表示部により表示装置に表示される。例えば、選定したユーザに対する献立を考える際に、レシピカードを献立作成支援装置に載置することで献立を表示させることが出来るため、献立を考えるためのコミュニケーションツールとして利用することが出来る。これにより、献立を考え調理を行う作り手と、作られた料理を食べる食べ手との間に生じるミスマッチを解消することが出来る。
【００４４】
また、レシピカードの料理の材料を表示させることにより、より多くの材料を取り入れる等、ゲーミフィケーションのような特徴を取り入れることが出来る。これにより、家族で楽しく献立を作成することが可能になる。
【００４５】
（実施形態２）
図５は、本開示の実施形態２に係る献立作成支援システム１Ａを示す機能ブロック構成図である。この献立作成支援システム１Ａは、献立作成支援装置１００Ａと、実施形態１と同様の構成である表示装置２００と、ユーザ情報記憶媒体３００と、レシピ情報記憶媒体４００とを有している。
【００４６】
献立作成支援装置１００Ａは、ユーザから、献立作成対象であるユーザの選定を受け付け、調理レシピデータの選定を受け付けて献立を表示させる装置である点において、実施形態１に係る献立作成支援装置１００と同様であるが、実施形態２では、選定したユーザにとって摂取すべき栄養価の値を算出し、その値に対する選定した料理による充足度を算出して表示する機能を備えている点において、実施形態１と異なる。そのため、献立作成支援装置１００Ａが備える制御部１６０Ａの機能として、実施形態１に係る制御部１６０の各機能に加えて、栄養価算出部１６５と、充足度表示部１６６とを備えている。
【００４７】
栄養価算出部１６５は、ユーザ情報記憶媒体３００から読み取られたユーザの属性情報から、そのユーザが摂取すべき栄養価の値を算出する。具体的には、例えば、ユーザの年齢、性別の情報に加えて、ユーザの仕事内容を基に決定される概念である活動量（よく動く、あまり動かない、等）、ユーザの疾病情報や自己申告により登録される健康状態（高血圧、貧血、等）等の情報が、ユーザの属性情報として情報記憶媒体３００に記憶されている。栄養価算出部１６５は、これらの情報に基づき、ユーザが１日に摂取すべき栄養価の値を算出する。算出する栄養価は、例えば、エネルギー、たんぱく質、脂質、塩分、各種ビタミン、食物繊維等である。
【００４８】
なお、本実施形態では、ユーザ情報記憶媒体３００から読み取られたユーザの属性情報から、そのユーザが摂取すべき栄養価の値を算出しているが、ユーザ情報記憶媒体３００にあらかじめ当該ユーザが摂取すべき栄養価の値を記憶させ、栄養価算出部１６５にてその値を取得しても良い。
【００４９】
充足度表示部１６６は、栄養価算出部１６５にて算出されたユーザが摂取すべき栄養価に対する、レシピ選定受付部１６３にて選定された料理による充足度を算出して表示させる。レシピ選定受付部１６３にて選定された料理に含まれる栄養価は、あらかじめレシピ情報記憶媒体４００に記憶されていても良く、レシピ情報記憶媒体４００に記憶されているレシピデータからレシピ選定受付部１６３が材料の情報を抽出するので、この材料の情報から充足度表示部１６６が栄養価を算出しても良い。また、充足度表示部１６６は、レシピカードが複数選定されると、これらの料理に含まれる栄養価を合算する。この栄養価の値による、ユーザが摂取すべき栄養価に対する充足度を算出して、表示装置２００へ表示させる。その他の構成については、実施形態１と同様である。
【００５０】
なお、図示は省略するが、ユーザ情報記憶媒体３００に対して、ユーザの活動量、ユーザの健康状態等の情報を登録して記憶させる機能を備えていても良い。
【００５１】
＜処理の流れ＞
図６を参照しながら、献立作成支援システム１Ａの献立作成支援装置１００Ａが実行する、献立作成支援方法の処理の流れについて、実施形態１と異なる点について説明する。図６は、図５の献立作成支援装置１００Ａの動作を示すフローチャートである。
【００５２】
ステップＳ１０１の後続処理であるステップＳ２０１の処理として、栄養価算出部１６５では、ステップＳ１０１で選定されたユーザの属性情報から、そのユーザが摂取すべき栄養価の値が算出される。例えば、情報記憶媒体３００に記憶されているユーザの年齢、性別、活動量、健康状態等の情報に基づき、ユーザが１日に摂取すべき栄養価の値が算出される。このステップＳ２０１の処理として、ステップＳ１０２が実行される。
【００５３】
ステップＳ１０４の後続処理であるステップＳ２０２の処理として、充足度表示部１６６では、ステップＳ２０１で算出された栄養価の値に対する、ステップＳ１０２で選定された料理による充足度を算出して、表示装置２００へ表示させる。選定された料理に含まれる栄養価は、レシピ情報記憶媒体４００から読み取られ、またはレシピ情報記憶媒体４００に記憶されているレシピデータから抽出された料理の材料の情報から算出される。
【００５４】
図７は、図５の表示装置２００に表示される、レシピ・栄養価情報の表示例を示す模式図である。図７に示すレシピ・材料情報の表示は、充足度表示部１６６による充足度の表示例であり、図４に示す料理のレシピデータの下部に表示されている。この表示例では、レシピ表示部１６４によって表示されるユーザ表示Ｔ１、タイトル表示Ｔ２、レシピ表示Ｔ３、完成写真Ｐ１の下側に、栄養価表示Ｅ２として表示されている。この栄養価表示Ｅ２では、例としてエネルギー、たんぱく質、脂質、塩分の充足度を示しているが、栄養価の要素はこれらに限られない。
【００５５】
また、栄養価表示Ｅ２として表示されている栄養価が１日に摂取すべき値を充足している場合に色を変化させる等、表示状態を変化させても良い。例えば、栄養価表示Ｅ２の栄養価が１日に摂取すべき値を充足していない場合、緑色で表示し、栄養価表示Ｅ２の栄養価が１日に摂取すべき値を充足しており、その栄養価が「エネルギー」や「塩分」のように、所定量以上摂取しないことが望ましい場合、警告表示として赤色で表示し、栄養価表示Ｅ２の栄養価が１日に摂取すべき値を充足しており、その栄養価が「食物繊維」や「ビタミン」のように、所定量以上摂取することが望ましい場合、良好な表示として青色で表示しても良い。
【００５６】
本実施形態によれば、上記実施形態１の効果に加え、栄養価算出部により、選定されたユーザが摂取すべき栄養価の値が算出され、充足度表示部により、選定された料理による充足度が算出されて表示される。これにより、献立を考えるためのコミュニケーションツールとして利用して献立の作り手と食べ手との間のミスマッチを解消しながら、より健康的な献立を作成することが可能である。
【００５７】
（実施形態３）
図８は、本開示の実施形態３に係る献立作成支援システム１Ｂを示す機能ブロック構成図である。図９は、図８の献立作成支援装置１００Ｂの外観を示す斜視図（ａ）、人形１０を示す底面図（ｂ）、及びレシピカード２０を示す底面図（ｃ）である。この献立作成支援システム１Ｂは、献立作成支援装置１００Ｂと、ユーザコード情報３００Ｂと、レシピコード情報（要素コード情報）４００Ｂと、実施形態１及び２と同様の構成である表示装置２００とを有している。
【００５８】
献立作成支援装置１００Ｂは、ユーザから、献立作成対象であるユーザの選定を受け付けて摂取すべき栄養価の値を算出し、調理レシピデータの選定を受け付けて献立を表示させ、その値に対する選定した料理による充足度を算出して表示する装置である点において、実施形態２に係る献立作成支援装置１００Ａと同様であるが、実施形態３では、人形１０及びレシピカード２０にＲＦＩＤタグのような非接触記憶媒体を埋め込んだものではなく、人形１０及びレシピカード２０にＱＲコード（登録商標）のようなコード情報を印字させ、献立作成支援装置１００Ｂに備える光学式読取装置により読み取る構成である点において、実施形態２と異なる。
【００５９】
そのため、献立作成支援装置１００Ｂに備える読取部１４０Ｂは、実施形態２に係る読取部１４０と異なる構成を備えている。記憶部１５０Ｂには、ユーザＤＢ（ユーザ情報記憶部）１５１及びレシピＤＢ（レシピ情報記憶部）１５２を記憶する。制御部１６０Ｂの機能として備える読取制御部１６１Ｂ、ユーザ選定受付部１６２Ｂ、及びレシピ選定受付部１６３Ｂは、実施形態２に係る読取制御部１６１、ユーザ選定受付部１６２、及びレシピ選定受付部１６３と異なる機能を備えている。
【００６０】
ユーザコード情報３００Ｂは、献立作成支援装置１００Ｂで読み取り可能である点において実施形態１及び２に係るユーザ情報記憶媒体３００と同様であるが、光学式読取装置により読み取り可能なコード情報である点において、実施形態１及び２と異なる。このユーザコード情報３００Ｂは、ユーザを識別する識別情報がコード化（記録）され、献立作成支援装置１００Ｂに載置されることで読み取り可能なコード情報、例えばＱＲコードやバーコード等により構成され、図９（ｂ）に示すように、人形１０の底面に印字されている。
【００６１】
レシピコード情報４００Ｂは、献立作成支援装置１００Ｂで読み取り可能である点において実施形態１及び２に係るレシピ情報記憶媒体４００と同様であるが、光学式読取装置により読み取り可能なコード情報である点において、実施形態１及び２と異なる。このレシピコード情報４００Ｂは、料理のレシピを識別する識別情報がコード化（記録）され、献立作成支援装置１００Ｂに載置されることで読み取り可能なコード情報、例えばＱＲコードやバーコード等により構成され、図９（ｃ）に示すように、レシピカード２０の裏面（底面）に印字されている。
【００６２】
献立作成支援装置１００Ｂの読取部１４０Ｂは、人形１０に印字されたユーザコード情報３００Ｂ、及びレシピカード２０に印字されたレシピコード情報４００Ｂから情報を読み取る装置であり、ＣＭＯＳイメージセンサ等の光学式読取装置により構成されている。この読取部１４０Ｂは、図９（ａ）に示すように、ユーザコード情報３００Ｂを読み取るユーザ情報読取部１４１Ｂと、レシピコード情報４００Ｂを読み取るレシピ情報読取部１４２Ｂとからなり、献立作成支援装置１００Ｂの上面側に配置されている。献立作成支援装置１００Ｂにおけるユーザ情報読取部１４１Ｂ及びレシピ情報読取部１４２Ｂが配置されている位置は、実施形態１におけるユーザ情報読取部１４１及びレシピ情報読取部１４２と同様である。
【００６３】
ユーザＤＢ１５１は、ユーザコード情報３００Ｂのユーザを識別する情報に紐づけて、ユーザの属性情報が格納されているデータベースである。ユーザＤＢ１５１には、実施形態１及び２においてユーザ情報記憶媒体３００に記憶されている、ユーザの氏名や呼び名、年齢、性別、活動量、健康状態等の属性情報が記憶されている。
【００６４】
レシピＤＢ１５２は、レシピコード情報４００Ｂの料理のレシピを識別する情報に紐づけて、料理のレシピデータ及び料理に含まれる栄養価が格納されているデータベースである。レシピＤＢ１５２には、実施形態１及び２においてレシピ情報記憶媒体４００に記憶されている、料理のレシピデータ及び料理に含まれる栄養価が記憶されている。
【００６５】
本実施形態において、ユーザＤＢ１５１及びレシピＤＢ１５２を備える構成としたのは、ＲＦＩＤタグやＩＣチップ等と比較すると、ＱＲコード等にコード化可能な情報量は少ないため、ユーザの属性情報やレシピデータをコード化することは不可能である。また、ユーザの属性情報やレシピデータに変更が生じた場合に、容易に変更を反映することが出来ない。そのため、ＱＲコードにそれぞれの情報を識別する情報のみをコード化し、ユーザの属性情報やレシピデータは献立作成支援装置１００Ｂに記憶させる構成としている。したがって、ユーザの属性情報やレシピデータをコード化することが可能な場合、例えば、人形１０及びレシピカード２０に記憶媒体を備え、献立作成支援装置１００Ｂからの信号に反応してユーザコード情報３００Ｂ及びレシピコード情報４００Ｂを表示させるようなデバイスで構成したような場合には、ユーザＤＢ１５１及びレシピＤＢ１５２を備えなくても良い。
【００６６】
読取制御部１６１Ｂは、読取部１４０Ｂの動作制御を行う。具体的には、例えばユーザコード情報３００Ｂ及びレシピコード情報４００ＢがＱＲコードにより構成されている場合、読取部１４０Ｂを構成するＣＭＯＳイメージセンサ等によりＱＲコードから反射される光を検出して読み取るので、その動作制御を行う。
【００６７】
ユーザ選定受付部１６２Ｂは、献立作成の対象であるユーザの選定を受け付けるが、ユーザ情報読取部１４１Ｂが人形１０のユーザコード情報３００Ｂを読み取ると、その情報を受け付けてユーザを識別する情報を取得する。取得したユーザを識別する情報からユーザＤＢ１５１を読み出し、ユーザの属性情報を取得する。
【００６８】
レシピ選定受付部１６３Ｂは、料理のレシピデータの選定を受け付けるが、レシピ情報読取部１４２Ｂがレシピカード２０のレシピコード情報４００Ｂを読み取ると、その情報を受け付けて料理のレシピを識別する情報を取得する。取得した料理のレシピを識別する情報からレシピＤＢ１５２を読み出し、レシピデータを取得する。その他の構成については、実施形態２と同様である。
【００６９】
＜処理の流れ＞
図１０を参照しながら、献立作成支援システム１Ｂの献立作成支援装置１００Ｂが実行する、献立作成支援方法の処理の流れについて、実施形態２と異なる点について説明する。図１０は、図８の献立作成支援装置１００Ｂの動作を示すフローチャートである。
【００７０】
ステップＳ１０１の後続処理であるステップＳ３０１の処理として、ユーザ選定受付部１６２Ｂでは、ステップＳ１０１で選定されたユーザを識別する情報から、ユーザＤＢ１５１が読み出され、ユーザの属性情報が取得される。
【００７１】
ステップＳ１０２の後続処理であるステップＳ３０２の処理として、レシピ選定受付部１６３Ｂでは、ステップＳ１０２で選定された料理のレシピデータを識別する情報から、レシピＤＢ１５２が読み出され、レシピデータが取得される。その後の処理は、実施形態２と同様である。
【００７２】
本実施形態によれば、上記実施形態１及び２の効果に加え、ユーザコード情報及びレシピコード情報をＱＲコードやバーコード等により構成し、読取部を光学式読取装置により構成したため、より安価に献立作成支援装置を構成することが可能である。また、ＲＦＩＤタグ等の読込エラーが発生しないため、故障が少ない献立作成支援装置を構成することが可能である。
【００７３】
（実施形態４）
図１１は、本開示の実施形態４に係る献立作成支援システム１Ｃを示す機能ブロック構成図である。図１２は、図１１の献立作成支援装置１００Ｃの外観を示す斜視図（ａ）、及び商品３０を示す拡大平面図（ｂ）である。この献立作成支援システム１Ｃは、献立作成支援装置１００Ｃと、材料情報記憶媒体（外部媒体）４００Ｃと、実施形態１及び２と同様の構成である表示装置２００と、ユーザコード情報３００とを有している。
【００７４】
献立作成支援装置１００Ｃは、ユーザから、献立作成対象であるユーザの選定を受け付けて摂取すべき栄養価の値を算出し、作成した献立の栄養価による充足度を算出する装置である点において、実施形態２に係る献立作成支援装置１００Ａと同様であるが、実施形態４では、調理レシピデータではなく、料理の材料の選定を受け付けて料理のレシピのレコメンドを行い、その料理から献立を作成して表示させる点において、実施形態２と異なる。
【００７５】
そのため、記憶部１５０Ｂに実施形態３と同様のレシピＤＢ１５２を記憶し、制御部１６０Ｃの機能として、実施形態２に係るレシピ選定受付部１６３に代えて、材料選定受付部（要素選定受付部）１６７を備え、さらにレシピ情報レコメンド部１６８を備えている点において、実施形態２に係る献立作成支援装置１００Ａと異なる。レシピＤＢ１５２を記憶しているのは、ユーザが材料を選定すると、献立を作成するためにはその材料を使用する料理のレシピの情報が必要であり、料理のレシピの情報がないと献立を作成することが出来ないからである。
【００７６】
材料情報記憶媒体４００Ｃは、献立作成支援装置１００Ｃで読み取り可能な記憶媒体である点において実施形態１及び２に係るレシピ情報記憶媒体４００と同様であるが、記憶（記録）する情報がレシピデータではなく、料理の材料の情報である点において、実施形態１及び２と異なる。料理の材料の情報は、具体的には、例えば「豚肉こま切れ」等の商品名と、その商品の質量または容量の情報である。この材料情報記憶媒体４００Ｃは、実施形態１及び２に係るレシピ情報記憶媒体４００と同様のＲＦＩＤタグやＩＣチップ等により構成され、例えば、図１２（ｂ）に示すように、小売店等で実際に販売されている商品（料理の材料）３０に埋め込まれる。
【００７７】
図１２（ａ）に示すように、商品３０を、実施形態１及び２におけるレシピ情報読取部１４２に代えて設けられた材料情報読取部１４２Ｃに載置すると、商品３０に埋め込まれている材料情報記憶媒体４００Ｃが読み取られ、商品３０の情報が取得される。材料情報記憶媒体４００Ｃは、ＲＦＩＤカードリーダライタ等により構成されている点において実施形態１及び２におけるレシピ情報読取部１４２と同様であるが、読み取る対象だけが異なる。
【００７８】
商品３０は、例えば小売店等において販売されている実際の商品であり、小売店等で商品管理用に材料情報記憶媒体４００Ｃが埋め込まれている。図１２（ａ）、（ｂ）では、商品３０の例として精肉等が載せられるトレイを例として示しているが、生鮮食品等の商品を梱包する袋や箱等、ＲＦＩＤタグを取り付けることが可能であれば良い。本実施形態では、図１２（ｂ）に示すように、トレイである商品３０の底面に埋め込まれている。
【００７９】
材料選定受付部１６７は、ユーザ選定受付部１６２にて選定したユーザに対する献立を構成する要素である、料理の材料の選定を受け付ける。献立作成支援装置１００Ｃの上面における、材料情報読取部１４２Ｃが配置されている箇所に商品３０が載置されると、その商品３０に対応する料理の材料の情報が、材料情報記憶媒体４００Ｃから材料情報読取部１４２Ｃにより読み取られるので、その情報を受け付ける。なお、材料情報読取部１４２Ｃに載置される商品３０は１つでも良く、複数でも良い。
【００８０】
レシピ情報レコメンド部１６８は、材料選定受付部１６７にて受け付けた１つまたは複数の料理の材料の情報に基づき、この材料を使用する料理のレシピをレシピＤＢ１５２から読み出し、レコメンドする。レコメンド対象となるレシピデータは、例えば、料理の材料の情報に示される材料を、所定以上使用する料理のレシピデータであり、その一致度の高い料理の順にレコメンドされる。ユーザは、レシピ情報レコメンド部１６８によってレコメンドされた料理のレシピを選定する。その他の構成については、実施形態３と同様である。
【００８１】
なお、本実施形態では、材料選定受付部１６７は、材料情報記憶媒体４００Ｃに記憶されている料理の材料の情報を受け付け、料理の材料の情報としてその商品の質量または容量の情報を受け付けるが、他の例として、献立作成支援装置１００Ｃに商品３０の質量を測定する重量計の機能を備え、商品の質量はこの重量計の測定情報を使用する構成にしても良い。このような構成にすることにより、正確な材料の情報を取得することが可能であり、また、商品を購入してからすでに家庭でその一部を使用した後であっても、料理の材料の情報を取得することが可能である。
【００８２】
＜処理の流れ＞
図１３を参照しながら、献立作成支援システム１Ｃの献立作成支援装置１００Ｃが実行する、献立作成支援方法の処理の流れについて、実施形態２と異なる点について説明する。図１３は、図１１の献立作成支援装置１００Ｃの動作を示すフローチャートである。
【００８３】
ステップＳ２０１の後続処理であるステップＳ４０１の処理として、材料選定受付部１６７では、ステップＳ１０１で選定されたユーザに対する献立を構成する要素である、料理の材料の選定が受け付けられる。献立作成支援装置１００Ｃの材料情報読取部１４２Ｃに商品３０が載置されることにより、材料の選定が行われる。
【００８４】
ステップＳ４０１の後続処理であるステップＳ４０２の処理として、レシピ情報レコメンド部１６８では、ステップＳ４０１で選定された１つまたは複数の料理の材料の情報に基づき、この材料を使用する料理のレシピがレシピＤＢ１５２から読み出され、レコメンドされる。レコメンドされた料理のレシピデータから、ユーザによって好みの料理のレシピデータが選定されて献立が作成される。
【００８５】
本実施形態によれば、上記実施形態１ないし３の効果に加え、材料選定受付部により、献立を構成する要素である料理の材料の選定が受け付けられ、レシピ情報レコメンド部により、料理の材料の情報に基づきこの材料を使用する料理のレシピがレコメンドされる。ユーザは、レコメンドされた料理のレシピデータを組み合わせて献立を作成することが出来るので、」レシピカードのようなレシピを選定する手段がない場合でも、献立を作成することが可能である。また、実際に購入した商品から献立を作成することが可能である。
【００８６】
（実施形態５）
図１４は、本開示の実施形態５に係る献立作成支援システム１Ｄを示す機能ブロック構成図である。図１５は、図１４の献立作成支援装置１００Ｄの外観を示す斜視図（ａ）、及び商品３０を示す拡大底面図（ｂ）である。この献立作成支援システム１Ｄは、献立作成支援装置１００Ｄと、材料情報記憶媒体４００Ｄと、実施形態１及び２と同様の構成である表示装置２００と、実施形態３と同様の構成であるユーザコード情報３００Ｄとを有している。
【００８７】
献立作成支援装置１００Ｄは、ユーザから、献立作成対象であるユーザの選定を受け付けて摂取すべき栄養価の値を算出し、料理の材料の選定を受け付けて料理のレシピのレコメンドを行い、レコメンドした料理のレシピデータから作成された献立の栄養価による充足度を算出する装置である点において、実施形態４に係る献立作成支援装置１００Ｃと同様であるが、実施形態５では、人形１０及び商品３０にＲＦＩＤタグのような非接触記憶媒体を埋め込んだものではなく、実施形態３と同様に、人形１０及び商品３０にＱＲコードのようなコード情報を印字させ、献立作成支援装置１００Ｄに備える光学式読取装置により読み取る構成である点において、実施形態４と異なる。
【００８８】
そのため、献立作成支援装置１００Ｄに備える読取部１４０Ｄは、実施形態３に係る読取部１４０Ｂと同様の構成を備えている。記憶部１５０Ｄは、実施形態３と同様のユーザＤＢ１５１及びレシピＤＢ１５２を記憶し、さらに材料ＤＢ（材料情報記憶部）１５３を記憶する。制御部１６０Ｄの機能として、実施形態３に係る読取制御部１６１Ｂ及びユーザ選定受付部１６２Ｂと同様の読取制御部１６１Ｄ及びユーザ選定受付部１６２Ｄを備え、実施形態４に係る材料選定受付部１６７と異なる材料選定受付部１６７Ｄを備えている。
【００８９】
材料コード情報４００Ｄは、献立作成支援装置１００Ｄで読み取り可能である点において実施形態４に係る材料情報記憶媒体４００Ｃと同様であるが、光学式読取装置により読み取り可能なコード情報である点において、実施形態４と異なる。この材料コード情報４００Ｄは、料理の材料を識別する識別情報がコード化（記録）されており、例えば、献立作成支援装置１００Ｄに載置されることで読み取り可能なコード情報、例えばＱＲコードやバーコード等により構成され、図１５（ｂ）に示すように、商品３０の裏面（底面）に印字されている。
【００９０】
図１５（ａ）に示すように、商品３０を、実施形態３におけるレシピ情報読取部１４２Ｂと同様の構成である材料情報読取部１４２Ｄに載置すると、商品３０に印字されている材料コード情報４００Ｄが読み取られ、商品３０の情報が取得される。
【００９１】
材料ＤＢ１５３は、材料コード情報４００Ｄの料理の材料を識別する情報に紐づけて、料理の材料の情報が格納されているデータベースである。材料ＤＢ１５３には、実施形態４において材料情報記憶媒体４００Ｃに記憶されている、料理の材料の情報が記憶されている。
【００９２】
材料選定受付部１６７Ｄは、料理の材料の選定を受け付けるが、材料情報読取部１４２Ｄが商品３０の材料コード情報４００Ｄを読み取ると、その情報を受け付けて料理の材料を識別する情報を取得する。取得した料理の材料を識別する情報から材料ＤＢ１５３を読み出し、料理の材料の情報を取得する。その他の構成については、実施形態４と同様である。
【００９３】
＜処理の流れ＞
図１６を参照しながら、献立作成支援システム１Ｄの献立作成支援装置１００Ｄが実行する、献立作成支援方法の処理の流れについて、実施形態４と異なる点について説明する。図１３は、図１１の献立作成支援装置１００Ｃの動作を示すフローチャートである。
【００９４】
ステップＳ４０１の後続処理であるステップＳ５０１の処理として、材料選定受付部１６７Ｄでは、ステップＳ４０１で選定された料理の材料を識別する情報から、材料ＤＢ１５３が読み出され、料理の材料の情報が取得される。
【００９５】
本実施形態によれば、上記実施形態１ないし４の効果に加え、材料コード情報をＱＲコードやバーコード等により構成し、読取部を光学式読取装置により構成したため、より安価に献立作成支援装置を構成することが可能である。また、ＲＦＩＤタグ等の読込エラーが発生しないため、故障が少ない献立作成支援装置を構成することが可能である。
【００９６】
（実施形態６）
図１７は、本開示の実施形態６に係る献立作成支援システム１Ｅを示す機能ブロック構成図である。この献立作成支援システム１Ｅは、献立作成支援装置１００Ｅと、サーバ装置（サーバ）５００と、ネットワークＮＷと、実施形態１と同様の構成である表示装置２００と、ユーザ情報記憶媒体３００と、レシピ情報記憶媒体４００とを有している。献立作成支援装置１００Ｅと、サーバ装置５００とは、ネットワークＮＷを介して相互に接続される。ネットワークＮＷは、通信を行うための通信網であり、例えばインターネット、イントラネット、ＬＡＮ（Local Area Network）、ＷＡＮ（Wide Area Network）等の通信網により構成されている。
【００９７】
実施形態１ないし５に係る献立作成支援装置１００〜１００Ｄは、装置単独で動作する構成であったが、本実施形態では、献立作成支援装置１００ＥがネットワークＮＷを介してサーバ装置５００に接続され、サーバ装置５００からレシピデータを取得して献立の作成を支援するシステムとしての献立作成支援システム１Ｅについて説明する。
【００９８】
そのため、献立作成支援装置１００Ｅに備える通信部１１０Ｅは、実施形態１に係るＩ／Ｆ部１１０と異なる構成を備えている。なお、本実施形態では、受け付けた料理のレシピデータからこの料理に使用される材料の情報を抽出する際に、サーバ装置５００から情報を取得する例として説明するため、献立作成支援装置１００Ｅに備えるレシピ選定受付部１６３Ｅは、実施形態１に係るレシピ選定受付部１６３と異なる構成を備えている。
【００９９】
サーバ装置５００は、献立作成支援装置１００Ｅに対して情報提供を行う装置であり、例えば、各種Ｗｅｂサービスを提供するサーバ装置により構成されている。また、本実施形態では、図示を省略するがレシピデータをレコメンドするレシピ情報レコメンド部を備えている。さらに、サーバ装置５００は、献立作成支援装置１００Ｅに対してプログラムの更新情報等を送信する機能を備えている。なお、サーバ装置は単体で動作するサーバ装置に限られず、ネットワークＮＷを介して通信を行うことで協調動作する分散型サーバシステムでも良く、いわゆるクラウドサーバでも良い。
【０１００】
通信部１１０Ｅは、ネットワークＮＷを介してサーバ装置５００と有線または無線で通信を行うための通信インタフェースであり、例えばＴＣＰ／ＩＰ（Transmission Control Protocol/Internet Protocol）等の通信規約により通信が行われる。
【０１０１】
レシピ選定受付部１６３Ｅは、ユーザ選定受付部１６２にて選定したユーザに対する献立を構成する要素である、料理のレシピデータの選定を受け付け、受け付けた料理のレシピデータから、この料理に使用される材料の情報を抽出する機能を有している点において、実施形態１と同様である。しかし、受け付けた料理のレシピデータを、通信部１１０Ｅを介してサーバ装置５００から受け付ける点において、実施形態１と異なる。例えば、ユーザが選定した料理との組み合わせが良好な料理のレシピ情報が、サーバ装置５００のレシピ情報レコメンド部がレコメンドするので、その情報を受け付ける。その他の構成及び処理の流れについては、実施形態１と同様である。
【０１０２】
本実施形態によれば、上記実施形態１ないし５の効果に加え、ネットワークを介してサーバ装置に接続され、サーバ装置から情報を取得して献立の作成を支援するシステムとして構成している。これにより、献立作成支援装置に記憶させるデータの容量を少なくすることが可能であり、また、提供するデータをサーバ装置にて一元管理することで、最新のデータを提供することが可能である。
【０１０３】
（実施形態７（プログラム））
図１８は、コンピュータ（電子計算機）７００の構成の例を示す機能ブロック構成図である。コンピュータ７００は、ＣＰＵ７０１、主記憶装置７０２、補助記憶装置７０３、及びインタフェース７０４を備える。
【０１０４】
ここで、実施形態１ないし６に係る読取制御部１６１、ユーザ選定受付部１６２、レシピ選定受付部１６３、レシピ表示部１６４、栄養価算出部１６５、充足度表示部１６６、材料選定受付部１６７、及びレシピ情報レコメンド部１６８を構成する各機能を実現するための制御プログラムの詳細について説明する。これらの機能ブロックは、コンピュータ７００に実装される。そして、これらの各構成要素の動作は、プログラムの形式で補助記憶装置７０３に記憶されている。ＣＰＵ７０１は、プログラムを補助記憶装置７０３から読み出して主記憶装置７０２に展開し、当該プログラムに従って上記処理を実行する。また、ＣＰＵ７０１は、プログラムに従って、上述した記憶部に対応する記憶領域を主記憶装置７０２に確保する。
【０１０５】
当該プログラムは、具体的には、コンピュータ７００において、ユーザの選定を受け付けるユーザ選定受付ステップと、ユーザに対する、献立を構成する要素の選定を受け付ける要素選定受付ステップと、選定された要素を表示させる献立要素表示ステップと、をコンピュータによって実現する制御プログラムである。
【０１０６】
なお、補助記憶装置７０３は、一時的でない有形の媒体の一例である。一時的でない有形の媒体の他の例としては、インタフェース７０４を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ７００に配信される場合、配信を受けたコンピュータ７００が当該プログラムを主記憶装置７０２に展開し、上記処理を実行してもよい。
【０１０７】
また、当該プログラムは、前述した機能の一部を実現するためのものであってもよい。さらに、当該プログラムは、前述した機能を補助記憶装置７０３に既に記憶されている他のプログラムとの組み合わせで実現するもの、いわゆる差分ファイル（差分プログラム）であってもよい。
【０１０８】
以上、開示に係る実施形態について説明したが、これらはその他の様々な形態で実施することが可能であり、種々の省略、置換および変更を行なって実施することが出来る。これらの実施形態および変形例ならびに省略、置換および変更を行なったものは、特許請求の範囲の技術的範囲とその均等の範囲に含まれる。
【符号の説明】
【０１０９】
１  献立作成支援システム、１０  人形、２０  レシピカード、３０  商品（料理の材料）、１００  献立作成支援装置、１１０  Ｉ／Ｆ部、１２０  表示部、１３０  操作部、１４０  読取部、１５０  記憶部、１５１  ユーザＤＢ（ユーザ情報記憶部）、１５２  レシピＤＢ（レシピ情報記憶部）、１５３  材料ＤＢ（材料情報記憶部）、１６０  制御部、１６１  読取制御部、１６２  ユーザ選定受付部、１６３  レシピ選定受付部（要素選定受付部）、１６４  レシピ表示部、１６５  栄養価算出部、１６６  充足度表示部、１６７  材料選定受付部（要素選定受付部）、１６８  レシピ情報レコメンド部、２００  表示装置、３００  ユーザ情報記憶媒体、３００Ｂ，３００Ｄ  ユーザコード情報、４００  レシピ情報記憶媒体、４００Ｂ，４００Ｄ  レシピコード情報（要素コード情報）、５００  サーバ装置（サーバ）、ＮＷ  ネットワーク
【図１】
2020107316.tif 000003
【図２】
2020107316.tif 000004
【図３】
2020107316.tif 000005
【図４】
2020107316.tif 000006
【図５】
2020107316.tif 000007
【図６】
2020107316.tif 000008
【図７】
2020107316.tif 000009
【図８】
2020107316.tif 000010
【図９】
2020107316.tif 000011
【図１０】
2020107316.tif 000012
【図１１】
2020107316.tif 000013
【図１２】
2020107316.tif 000014
【図１３】
2020107316.tif 000015
【図１４】
2020107316.tif 000016
【図１５】
2020107316.tif 000017
【図１６】
2020107316.tif 000018
【図１７】
2020107316.tif 000019
【図１８】
2020107316.tif 000020